(57)【要約】【課題】ハンドルを把持位置に容易に移動させることができ、ハンドルの使い勝手を向上できるプロジェクターを提供する。【解決手段】プロジェクター１は、外装を構成する外装筐体５，６と、当該プロジェクター１を持ち運ぶためのハンドル１０とを備える。ハンドル１０は、外装筐体５，６に対して、外装筐体５，６外面から突出した把持位置、または、外装筐体５，６に収納された収納位置に移動可能に取り付けられている。外装筐体６の外面には、ハンドル１０が収納位置に位置付けられた際に、ハンドル１０が収納される収納用凹部６２と、収納用凹部６２に連通する取出用凹部６３とが形成されている。【選択図】図４
2010250081.tif 000002
【特許請求の範囲】
【請求項１】
画像情報に応じた画像を形成して投射するプロジェクターであって、
外装を構成する外装筐体と、
当該プロジェクターを持ち運ぶためのハンドルとを備え、
前記ハンドルは、
前記外装筐体に対して、前記外装筐体外面から突出した把持位置、または、前記外装筐体に収納された収納位置に移動可能に取り付けられ、
前記外装筐体の外面には、
前記ハンドルが前記収納位置に位置付けられた際に、前記ハンドルの少なくとも一部が収納される収納用凹部と、
前記収納用凹部に連通する取出用凹部とが形成されている
ことを特徴とするプロジェクター。
【請求項２】
請求項１に記載のプロジェクターにおいて、
前記収納用凹部は、
前記外装筐体における一側壁部に形成され、
前記取出用凹部は、
前記外装筐体における前記一側壁部から前記一側壁部に隣接する他の側壁部にかけて前記収納用凹部を跨ぐように形成されている
ことを特徴とするプロジェクター。
【請求項３】
請求項１または請求項２に記載のプロジェクターにおいて、
前記ハンドルには、
前記ハンドルが前記収納位置に位置付けられた状態で、各前記凹部の底部分に向うにしたがって前記取出用凹部から離間するように傾斜した傾斜面が形成されている
ことを特徴とするプロジェクター。
【請求項４】
請求項１から請求項３のいずれかに記載のプロジェクターにおいて、
前記外装筐体に導入される空気に含まれる塵埃を捕捉するエアフィルターと、
前記エアフィルターを保護するフィルターカバーとを備え、
前記外装筐体の外面には、
前記フィルターカバーが設置されるカバー用凹部が形成され、
前記取出用凹部は、
前記カバー用凹部に連通するように形成されている
ことを特徴とするプロジェクター。
【発明の詳細な説明】
【技術分野】
【０００１】
本発明は、プロジェクターに関する。
【背景技術】
【０００２】
従来、プロジェクターにおいて、当該プロジェクターの持ち運びを容易にするために、外装筐体にハンドルが取り付けられた構成が提案されている（例えば、特許文献１参照）。
具体的に、特許文献１に記載のプロジェクターでは、ハンドルは、Ｕ字形状を有し、その両端に回動軸が一体成形されている。また、外装筐体の外面には、平面視Ｕ字形状を有し、ハンドルを収納する凹状の収容部が形成されている。さらに、収容部の上端には、ハンドルの回動軸を軸支する支持部が設けられている。
そして、ハンドルは、支持部に回動軸が軸支されることで、外装筐体から突出し当該プロジェクターを持ち運ぶために利用者により把持される把持位置、または、収容部に収納された収納位置に回動可能に構成されている。
【先行技術文献】
【特許文献】
【０００３】
【特許文献１】特開２０００−２８４３６２号公報
【発明の概要】
【発明が解決しようとする課題】
【０００４】
しかしながら、特許文献１に記載の構造では、ハンドルを収納位置に位置付けた状態では、ハンドルが収容部に収納された状態となるため、ハンドルを掴んで収納位置から把持位置に向けて回動させることが難しい、という問題がある。
特に、特許文献１に記載の構造では、ハンドルは、外装筐体において、当該プロジェクターが設置される机等の設置面側に位置するロアーケースに取り付けられている。すなわち、利用者は、ハンドルを収納位置から把持位置に向けて回動させる際には、指をハンドルと机との間に入れてハンドルに引っ掛けることで、ハンドルを引き上げる必要がある。しかしながら、ハンドルと机との隙間が小さいため、指を該隙間に入れることが難しい。
【０００５】
本発明の目的は、ハンドルを把持位置に容易に移動させることができ、ハンドルの使い勝手を向上できるプロジェクターを提供することにある。
【課題を解決するための手段】
【０００６】
本発明のプロジェクターは、画像情報に応じた画像を形成して投射するプロジェクターであって、外装を構成する外装筐体と、当該プロジェクターを持ち運ぶためのハンドルとを備え、前記ハンドルは、前記外装筐体に対して、前記外装筐体外面から突出した把持位置、または、前記外装筐体に収納された収納位置に移動可能に取り付けられ、前記外装筐体の外面には、前記ハンドルが前記収納位置に位置付けられた際に、前記ハンドルの少なくとも一部が収納される収納用凹部と、前記収納用凹部に連通する取出用凹部とが形成されていることを特徴とする。
【０００７】
本発明では、外装筐体の外面には、収納用凹部と、この収納用凹部に連通する取出用凹部とが形成されている。このことにより、利用者は、ハンドルが収納位置に位置付けられ収納用凹部に少なくとも一部が収納されている状態において、取出用凹部に指を挿入してハンドルに引っ掛けることで、ハンドルを収納位置から把持位置に向けて容易に移動させることができる。したがって、ハンドルの使い勝手を向上できる。
また、ハンドルが収納位置に位置付けられた状態において、ハンドルと机等の設置面とが近接するように構成した場合であっても、上述したようにハンドルを収納位置から把持位置に向けて容易に移動させることができるため、外装筐体の外面に対するハンドルの取り付け位置の自由度を向上できる。
【０００８】
本発明のプロジェクターでは、前記収納用凹部は、前記外装筐体における一側壁部に形成され、前記取出用凹部は、前記外装筐体における前記一側壁部から前記一側壁部に隣接する他の側壁部にかけて前記収納用凹部を跨ぐように形成されていることが好ましい。
ところで、プロジェクターとしては、小型及び軽量化が図られているため、持ち運び性の向上が図れる反面、盗難されやすいものである。そこで、プロジェクターの盗難を防止するために、ハンドルに金属製のワイヤーやチェーンを巻き付けることで機械的にプロジェクターの盗難を防止することが考えられる。
しかしながら、ハンドルにワイヤーやチェーンを巻き付けた状態では、ワイヤーやチェーンが収納用凹部に引っ掛かるため、ハンドルを収納位置に位置付けることができない。すなわち、上記の状態では、ハンドルが収納用凹部に収納されないため、見栄えの悪いものとなる。
【０００９】
本発明では、取出用凹部は、外装筐体における一側壁部から隣接する他の側壁部にかけて収納用凹部を跨ぐように形成されている。このことにより、ハンドルにワイヤーやチェーンを巻き付けた状態であっても、ハンドルを収納位置に位置付けた際に、ワイヤーやチェーンが収納用凹部に引っ掛かることなく取出用凹部に収納することができる。すなわち、ハンドルにワイヤーやチェーンを巻き付けた状態であっても、ハンドルを収納用凹部に収納することができ、見栄えのよいプロジェクターを構成できる。
【００１０】
本発明のプロジェクターでは、前記ハンドルには、各前記凹部の底部分に向うにしたがって前記取出用凹部から離間するように傾斜した傾斜面が形成されていることが好ましい。
本発明では、ハンドルには、上述した傾斜面が形成されている。このことにより、利用者は、ハンドルが収納位置に位置付けられた状態において、取出用凹部に指を挿入した後、指をハンドル（傾斜面）に引っ掛けやすいものとなり、ハンドルを収納位置から把持位置に向けてさらに容易に移動させることができる。
【００１１】
本発明のプロジェクターでは、前記外装筐体に導入される空気に含まれる塵埃を捕捉するエアフィルターと、前記エアフィルターを保護するフィルターカバーとを備え、前記外装筐体の外面には、前記フィルターカバーが設置されるカバー用凹部が形成され、前記取出用凹部は、前記カバー用凹部に連通するように形成されていることが好ましい。
【００１２】
本発明では、取出用凹部は、上述したカバー用凹部に連通するように形成されている。このことにより、例えば、外装筐体に対して、フィルターカバーとハンドルとが近接する位置にそれぞれ取り付けられている場合であっても、利用者は、取出用凹部に指を挿入してフィルターカバーの側端部に引っ掛けることで、外装筐体からフィルターカバーを容易に取り外すことができる。したがって、ハンドルを例えば把持位置に移動させなくても、外装筐体からフィルターカバーを取り外すことができ、エアフィルターの交換を容易に実施できる。
【図面の簡単な説明】
【００１３】
【図１】第１実施形態におけるプロジェクターの概略構成を示す図。
【図２】第１実施形態におけるプロジェクターの概略構成を示す図。
【図３】第１実施形態における筐体の右側面部を拡大した斜視図。
【図４】第１実施形態における筐体の右側面部を拡大した斜視図。
【図５】第１実施形態における筐体の右側面部を拡大した斜視図。
【図６】第１実施形態における把持部の断面図。
【図７】第２実施形態における取出用凹部を模式的に示す斜視図。
【図８】前記各実施形態の変形例を示す図。図８（Ａ）はハンドルが収納位置に位置付けられた状態を示す図、図８（Ｂ）はハンドルが把持位置に位置付けられた状態を示す図。
【発明を実施するための形態】
【００１４】
[第１実施形態]
以下、本発明の第１実施形態を図面に基づいて説明する。
〔プロジェクターの概略構成〕
図１及び図２は、第１実施形態におけるプロジェクター１の概略構成を示す図である。具体的に、図１はプロジェクター１を前面側から見た斜視図であり、図２はプロジェクター１を前面側から見た分解斜視図である。
なお、以下では、説明の便宜上、後述する投射レンズ２１Ａ（図１、図２）が配置される側を前面側とし、前面側の反対側を背面側とする。
プロジェクター１は、スクリーン（図示略）上に投影画像を形成する。このプロジェクター１は、図１または図２に示すように、プロジェクター本体２（図２）及び再生装置３（図２）が上下に区画された状態で筐体４内部に配設された構成を有している。
【００１５】
〔プロジェクター本体の構成〕
プロジェクター本体２は、図２に示すように、光源装置、光源装置から出射された光束を画像情報に応じて変調して画像を形成する液晶パネル等の光変調装置、及び画像を投射する投射光学装置としての投射レンズ２１Ａ等を有する光学ユニット２１の他、プロジェクター１内部を冷却する冷却ファン等を有する冷却装置２２、各構成部材に電力を供給する電源ユニット２３、及び光変調装置等を制御する制御装置２４等で構成されている。
そして、プロジェクター本体２は、筐体４における後述する中間筐体７に固定される。
【００１６】
〔再生装置の構成〕
再生装置３は、図２に示すように、ディスクドライブ３１等を備え、筐体４に形成された挿入口６１を介して挿入されたＣＤ(Compact Disk)またはＤＶＤ(Digital Versatile Disk)等の光ディスクを再生するものである。
ディスクドライブ３１は、具体的な図示は省略したが、挿入口６１を介して挿入された光ディスクをオートローディング機構により所定位置に搬入し、スピンドルモーター等の駆動部により光ディスクを回転させる。そして、ディスクドライブ３１は、光ディスクに記録された再生データ（画像データ、音声データ）を読み取り、光ディスクの記録方式に応じてデコードし、制御装置２４に出力する。
すなわち、制御装置２４は、再生装置３から出力された再生データに対して所定の処理を施し、画像データに基づく画像を光変調装置に形成させるとともに、音声データに基づく音声をスピーカー（図示略）から出力させることとなる。
そして、再生装置３は、筐体４における後述する下側外装筐体６に固定される。
【００１７】
〔筐体の構成〕
筐体４は、図１または図２に示すように、上方側に位置する天面部４Ａ、下方側に位置する底面部４Ｂ、前面部４Ｃ、背面部４Ｄ、前面側から見て左右にそれぞれ位置する左側面部４Ｅ及び右側面部４Ｆを有し、略直方体形状を有する。
この筐体４は、図１または図２に示すように、互いに組み合わせることで略直方体形状を有しプロジェクター１の外装を構成する上側外装筐体５及び下側外装筐体６と、上側外装筐体５及び下側外装筐体６に挟持され、プロジェクター本体２及び再生装置３を上下に区画する中間筐体７（図２）とを備える。
【００１８】
上側外装筐体５において、前面部４Ｃには、図１または図２に示すように、プロジェクター本体２から投射された画像を通過させるための開口部５１が形成されている。
また、下側外装筐体６において、前面部４Ｃには、図１または図２に示すように、光ディスクを挿入するための挿入口６１が形成されている。
さらに、筐体４において、右側面部４Ｆには、具体的には後述するが、図１または図２に示すように、フィルター装置９（図２）を保護するフィルターカバー８、及び、プロジェクター１を持ち運ぶためのハンドル１０が取り付けられている。
【００１９】
〔フィルター装置及びフィルターカバーの取付構造〕
図３は、筐体４の右側面部４Ｆを拡大した斜視図である。具体的に、図３では、上側外装筐体５を取り外した状態を示している。
筐体４において、右側面部４Ｆの前面側には、図３に示すように、内部に向けて窪むカバー用凹部４１が形成されている。
なお、具体的な図示を省略したが、カバー用凹部４１は、上側外装筐体５及び下側外装筐体６の双方に跨るように形成され、上側外装筐体５及び下側外装筐体６を組み合わせることで平面視矩形形状を有する。
【００２０】
フィルターカバー８は、カバー用凹部４１に対応した平面視略矩形状の板体で構成され、カバー用凹部４１に着脱可能に取り付けられる。そして、フィルターカバー８は、カバー用凹部４１に装着されることで、右側面部４Ｆの一部を構成するとともに、フィルター装置９を保護する。
このフィルターカバー８には、図１または図２に示すように、複数のスリット８１が形成されている。
また、カバー用凹部４１の底部分には、図３に示すように、冷却装置２２（図２）の駆動により、複数のスリット８１を介して外部の空気を筐体４に導入するための吸気口４２が形成されている。
なお、具体的な図示を省略したが、吸気口４２は、上側外装筐体５及び下側外装筐体６の双方に跨るように形成され、上側外装筐体５及び下側外装筐体６を組み合わせることで平面視矩形形状を有する。
そして、吸気口４２には、図３に示すように、フィルター装置９が着脱可能に取り付けられる。
【００２１】
フィルター装置９は、複数のスリット８１及び吸気口４２を介して冷却装置２２に向う空気に含まれる塵埃を捕捉する。このフィルター装置９は、図３に示すように、エアフィルター９１と、支持枠９２とを備える。
エアフィルター９１は、塵埃を捕捉する部分であり、本実施形態では、静電フィルターで構成されている。
より具体的に、エアフィルター９１は、静電気を帯電させた高分子繊維をプリーツ加工することにより、表面積を拡大させて塵埃の捕集効率を向上させている。
支持枠９２は、吸気口４２の形状に対応した矩形枠形状を有し、枠状内部にてエアフィルター９１を支持する。
この支持枠９２において、背面側には、図３に示すように、筐体４外部に向けて突出する突出部９２１が形成されている。
【００２２】
以上の構成により、筐体４を解体することなく、以下に示すように、フィルター装置９を交換できる。
先ず、フィルターカバー８を筐体４から取り外し、突出部９２１を把持して、フィルター装置９を筐体４外部に引き出す。そして、新たなフィルター装置９を吸気口４２に嵌合させ、フィルターカバー８を再度、カバー用凹部４１に取り付ける。
【００２３】
〔ハンドルの取付構造〕
図４及び図５は、筐体４の右側面部４Ｆを拡大した斜視図である。具体的に、図４はハンドル１０が収納位置に位置付けられた状態を示し、図５はハンドル１０が把持位置に位置付けられた状態を示している。
ハンドル１０は、図４または図５に示すように、互いに平行して延出する断面視略矩形状の一対の延出部１１と、一対の延出部１１の各端部を接続する把持部１２とを備え、平面視略Ｕ字形状を有する。
一対の延出部１１は、図４に示すように、下側外装筐体６の高さ寸法と略同一の長さ寸法を有する。
一対の延出部１１において、先端側には、図３に示すように、互いに対向する端面から互いに近接するように突出した円柱状の第１の回動軸１１Ａがそれぞれ形成されている。
同様に、一対の延出部１１において、先端側には、図３に示すように、互いに離間する端面から互いに離間するように突出した円柱状の第２の回動軸１１Ｂがそれぞれ形成されている。
なお、各回動軸１１Ａ，１１Ｂは、図３に示すように、同軸上に位置するように形成されている。
【００２４】
ここで、中間筐体７において、右側面部４Ｆ側の縁部分には、図３に示すように、一対の延出部１１の離間寸法分の間隔を空けて、前面側から見て左側に窪む一対の設置用凹部７１が形成されている。
また、一対の設置用凹部７１には、図３に示すように、各回動軸１１Ａ，１１Ｂに対応し、上端（天面部４Ａ側の端部）から下方（底面部４Ｂ側）に向けて切り欠かれた一対の軸受け用切欠部７２がそれぞれ形成されている。
すなわち、ハンドル１０は、一対の延出部１１における各回動軸１１Ａ，１１Ｂが各軸受け用切欠部７２にそれぞれ挿入され、一対の設置用凹部７１における上端が上側外装筐体５にて閉塞されることで、各軸受け用切欠部７２に回動可能に軸支されることとなる。
【００２５】
さらに、下側外装筐体６において、右側面部４Ｆには、図４または図５に示すように、ハンドル１０の形状に対応した形状を有し、吸気口４２を囲む平面視Ｕ字形状の収納用凹部６２が形成されている。
収納用凹部６２は、一対の設置用凹部７１にそれぞれ連通するとともに下方側に延びる第１の収納凹部６２Ａと、底面部４Ｂに沿って前後方向（前面側から背面側への方向）に延び、各第１の収納凹部６２Ａに連通する第２の収納凹部６２Ｂとを備える。
以上の構成により、ハンドル１０は、図４に示すように、把持部１２が下方側に位置する姿勢となるように回動され、収納位置に位置付けられることで、収納用凹部６２に収納される。
【００２６】
また、下側外装筐体６の右側面部４Ｆにおいて、カバー用凹部４１に対して背面側の位置には、図４または図５に示すように、取出用凹部６３が形成されている。
取出用凹部６３は、図４または図５に示すように、第２の収納凹部６２Ｂの上方側に位置し第２の収納凹部６２Ｂに連通する第１の取出凹部６３Ａと、底面部４Ｂに形成され第２の収納凹部６２Ｂ及び第１の取出凹部６３Ａに連通する第２の取出凹部６３Ｂとを備える。
すなわち、取出用凹部６３は、右側面部（一側壁部）４Ｆから底面部（他の側壁部）４Ｂにかけて形成され、第２の収納凹部６２Ｂを跨ぐように形成されている。
以上の構成により、利用者は、ハンドル１０が収納位置に位置付けられた状態（図３の状態）において、第１の取出凹部６３Ａに指を挿入して第２の収納凹部６２Ｂに収納された把持部１２に指を引っ掛けながら、図５に示すように、筐体４から突出した把持位置にハンドル１０を回動させる。そして、利用者は、把持部１２を把持することで、プロジェクター１を持ち運ぶ。
【００２７】
図６は、把持部１２の断面図である。具体的に、図６は、取出用凹部６３の形成位置において、把持部１２を切断した断面を示している。
ここで、把持部１２において、ハンドル１０が収納位置に位置付けられた状態において、上方側（天面部４Ａ側）の端面には、図６に示すように、傾斜面１２Ａが形成されている。
より具体的に、傾斜面１２Ａは、第１の取出凹部６３Ａ及び第２の収納凹部６２Ｂの各底部分に向うにしたがって第１の取出凹部６３Ａから離間するように（下方側に）傾斜している。
【００２８】
上述した第１実施形態によれば、以下の効果がある。
本実施形態では、下側外装筐体６の外面には、収納用凹部６２と、この収納用凹部６２に連通する取出用凹部６３とが形成されている。このことにより、利用者は、ハンドル１０が収納位置に位置付けられ収納用凹部６２に収納されている状態において、取出用凹部６３に指を挿入してハンドル１０に引っ掛けることで、ハンドル１０を収納位置から把持位置に向けて容易に回動させることができる。したがって、ハンドル１０の使い勝手を向上できる。
また、ハンドル１０が収納位置に位置付けられた状態において、本実施形態のようにハンドル１０の把持部１２と、プロジェクター１が設置される机等の設置面とが近接するように構成した場合であっても、上述したようにハンドル１０を収納位置から把持位置に向けて容易に回動させることができるため、筐体４の外面に対するハンドル１０の取り付け位置の自由度を向上できる。
【００２９】
さらに、取出用凹部６３は、右側面部４Ｆから底面部４Ｂにかけて収納用凹部６２を跨ぐように形成されている。このことにより、図４の２点鎖線で示すように、ハンドル１０にプロジェクター１の盗難防止用のワイヤーＷを巻きつけた状態であっても、ハンドル１０を収納位置に位置付けた際に、ワイヤーＷが収納用凹部６２に引っ掛かることなく取出用凹部６３に収納することができる。すなわち、ハンドル１０にワイヤーＷを巻きつけた状態であっても、ハンドル１０を収納用凹部６２に収納することができ、見栄えのよいプロジェクター１を構成できる。
【００３０】
また、ハンドル１０には、傾斜面１２Ａが形成されている。このことにより、利用者は、ハンドル１０が収納位置に位置付けられた状態において、第１の取出凹部６３Ａに指を挿入した後、指をハンドル１０（傾斜面１２Ａ）に引っ掛けやすいものとなり、ハンドル１０を収納位置から把持位置に向けてさらに容易に回動させることができる。
【００３１】
[第２実施形態]
次に、本発明の第２実施形態を図面に基づいて説明する。
以下の説明では、前記第１実施形態と同様の構造及び同一部材には同一の符号を付して、その詳細な説明は省略または簡略化する。
図７は、第２実施形態における取出用凹部６３を模式的に示す斜視図である。
前記第１実施形態では、取出用凹部６３（第１の取出凹部６３Ａ）は、カバー用凹部４１に対して所定の間隔を空けて形成されていた。
これに対して第２実施形態では、第１の取出凹部６３Ａは、図７に示すように、カバー用凹部４１に連通するように形成されている。
すなわち、本実施形態は、取出用凹部６３（第１の取出凹部６３Ａ）の形成位置が前記第１実施形態と異なるのみであり、その他の構成は、前記第１実施形態と同様のものである。
【００３２】
上述した第２実施形態によれば、前記第１実施形態と同様の効果の他、以下の効果がある。
本実施形態では、第１の取出凹部６３Ａは、カバー用凹部４１に連通するように形成されている。このことにより、本実施形態のように筐体４に対してフィルターカバー８とハンドル１０とが近接する位置にそれぞれ取り付けられている場合であっても、利用者は、第１の取出凹部６３Ａに指を挿入してフィルターカバー８の側端部に引っ掛けることで、筐体４からフィルターカバー８を容易に取り外すことができる。したがって、ハンドル１０を把持位置に向けて回動させなくても、筐体４からフィルターカバー８を取り外すことができ、フィルター装置９の交換を容易に実施できる。
【００３３】
なお、本発明は前述の実施形態に限定されるものではなく、本発明の目的を達成できる範囲での変形、改良等は本発明に含まれるものである。
図８は、前記各実施形態の変形例を示す図である。
前記各実施形態では、ハンドル１０は、回動することで、収納位置または把持位置に位置付けられていたが、これに限らない。
例えば、図８に示すように、ハンドル１０をスライド移動することで、収納位置（図８（Ａ）または把持位置（図８（Ｂ））に位置付ける構成を採用しても構わない。
具体的に、図８に示す例では、前記各実施形態で説明した収納用凹部６２において、一対の第１の収納凹部６２Ａが省略されている。また、第２の収納凹部６２Ｂの底部分において、両端には、ハンドル１０における一対の延出部１１が挿入される挿通口６２Ｃがそれぞれ形成されている。
すなわち、ハンドル１０は、図８（Ａ）に示すように、収納位置に位置付けられることで、一対の延出部１１が挿通口６２Ｃを介して下側外装筐体６内部に挿入されるとともに、把持部１２が第２の収納凹部６２Ｂに収納される。
また、ハンドル１０は、取出用凹部６３を利用して引き出されることで、底面部４Ｂに沿ってスライド移動する。そして、ハンドル１０は、一対の延出部１１の先端に形成された係止部（図示略）が挿通口６２Ｃの周辺部分に係止することで、図８（Ｂ）に示すように、把持位置に位置付けられる。
【００３４】
前記各実施形態において、収納用凹部６２及び取出用凹部６３の形成位置は、前記各実施形態で説明した位置に限らず、その他の側壁部４Ａ〜４Ｅに形成しても構わない。
前記各実施形態において、ハンドル１０の形状は、前記各実施形態で説明した平面視Ｕ字形状に限らず、その他の形状、例えば、平面視Ｌ字形状で構成しても構わない。
【産業上の利用可能性】
【００３５】
本発明のプロジェクターは、ハンドルを把持位置に容易に移動させることができ、ハンドルの使い勝手を向上できるため、プレゼンテーションやホームシアターに用いられるプロジェクターとして利用できる。
【符号の説明】
【００３６】
１・・・プロジェクター、４Ｂ・・・底面部（他の側壁部）、４Ｆ・・・右側面部（一側壁部）、５・・・上側外装筐体、６・・・下側外装筐体、８・・・フィルターカバー、１０・・・ハンドル、１２Ａ・・・傾斜面、４１・・・カバー用凹部、６２・・・収納用凹部、６３・・・取出用凹部、９１・・・エアフィルター。
【図１】
2010250081.tif 000003
【図２】
2010250081.tif 000004
【図３】
2010250081.tif 000005
【図４】
2010250081.tif 000006
【図５】
2010250081.tif 000007
【図６】
2010250081.tif 000008
【図７】
2010250081.tif 000009
【図８】
2010250081.tif 000010